(57)【要約】【課題】直交する二方向の水平若しくは垂直度を一箇所で略同一視線のまま同時に視認し得る実用性、作業性に秀れる水準器を提供する。【解決手段】棒状の気泡管から成る第一気泡管測定部１と第二気泡管測定部２とを面一とならない状態で直交状態に配設し、第一気泡管測定部１と第二気泡管測定部２との間に前記気泡管測定部１，２の一方を反射させ他方に並べて視認させる鏡３を設けて、他方の気泡管測定部１，２のいずれかを正面に配して鏡３を視認すると、第一気泡管測定部１と第二気泡管測定部２とが上下に並置した状態で第一気泡管測定部１と第二気泡管測定部２とを正面において略同一方向から同時に視認し測定し得るように第一気泡管測定部１，第二気泡管測定部２及び鏡３を配設した。【選択図】図１
2011095012.tif 000002
【特許請求の範囲】
【請求項１】
液体及び気泡を封入した棒状の気泡管から成る第一気泡管測定部と第二気泡管測定部とを互いに直交状態に設けた水準器において、前記第一気泡管測定部と前記第二気泡管測定部とを面一とならない状態で直交状態に配設し、前記第一気泡管測定部と前記第二気泡管測定部との間に前記気泡管測定部の一方を反射させ他方に並べて視認させる鏡を設けて、前記第一気泡管測定部若しくは前記第二気泡管測定部のいずれかを正面に配して鏡を視認すると、前記第一気泡管測定部と前記第二気泡管測定部とが上下に並置した状態で前記第一気泡管測定部と前記第二気泡管測定部とを前記正面において略同一方向から同時に視認し測定し得るように前記第一気泡管測定部，前記第二気泡管測定部及び前記鏡を配設したことを特徴とする水準器。
【請求項２】
互いに直交する前記第一気泡管測定部と前記第二気泡管測定部とを二辺とする三角形の一辺となる前記第一気泡管測定部若しくは前記第二気泡管測定部のいずれかを手前正面に配設し、前記三角形の斜辺位置に前記鏡として反射鏡を設け、この反射鏡の反射面を前記手前正面に向けて前記鏡を立設したことを特徴とする請求項１記載の水準器。
【請求項３】
前記第一気泡管測定部，前記第二気泡管測定部及び前記鏡を収容する器体ケースに第一窓孔を設け、この第一窓孔から前記第一気泡管測定部及び前記第二気泡管測定部を上下に並置した状態で同時に視認し得る構成としたことを特徴とする請求項１，２のいずれか１項に記載の水準器。
【請求項４】
前記器体ケースの前記第一窓孔を手前正面に設けて正面部とし、この正面部を上面部側に傾斜若しくは湾曲させ、前記器体ケースの上面部に第二窓孔を設けて、前記器体ケースの上面から前記第一気泡管測定部及び前記第二気泡管測定部を直接視認し得る構成としたことを特徴とする請求項３記載の水準器。
【請求項５】
前記第一気泡管測定部，前記第二気泡管測定部及び前記鏡を取付板体に設け、この取付板体を前記器体ケースの底面部として設けた、若しくは前記取付板体を前記器体ケース内に収容したことを特徴とする請求項３，４のいずれか１項に記載の水準器。
【請求項６】
前記取付板体の手前正面に設けて前記第一窓孔位置に配される前記第一気泡管測定部若しくは前記第二気泡管測定部のいずれか一方を、前記一方の気泡管測定部と直交し、前記第二窓孔位置配される他方の前記第一気泡管測定部若しくは前記第二気泡管測定部より低く設けたことを特徴とする請求項３〜５のいずれか１項に記載の水準器。
【請求項７】
カメラのアクセサリ取付部にスライド嵌合して取り付けるカメラ取付部を前記器体ケースに設けて、第一窓孔を手前正面にした状態で前記器体ケース内の直交する前記第一気泡管測定部の軸方向及び前記第二気泡管測定部の軸方向と、カメラのファインダを手前正面にした状態でカメラの左右方向及び前後方向とが合致する構成としたことを特徴とする請求項３〜６のいずれか１項に記載の水準器。
【請求項８】
前記器体ケースの底面部と、少なくとも一箇所の側面部とに前記カメラ取付部を設けたことを特徴とする請求項７記載の水準器。
【発明の詳細な説明】
【技術分野】
【０００１】
本発明は、気泡及び液体を封入した気泡管測定部により水平度及び若しくは垂直度を測定若しくは確認する水準器に関するものである。
【背景技術】
【０００２】
水準器を被測定物に当接して被測定物の二方向の水平若しくは垂直を測定若しくは確認し得る水準器がある（例えば、特許文献１）。この特許文献１には、水準器本体に気泡管測定部を二個所設けて、この気泡管測定部を夫々の水平基準線が互いに直角となる位置関係に設けて被測定物の水平度及び垂直度を測定できるように構成した水準器が開示されている（以下、「従来技術」という）。
【０００３】
また、この従来技術による水準器を応用してカメラのアクセサリ取付部に差込んでカメラの二方向の水平を視認して写真撮影時の水平調整を可能とした水準器がある。
【先行技術文献】
【特許文献】
【０００４】
【特許文献１】特許３５７１８９４号公報
【発明の概要】
【発明が解決しようとする課題】
【０００５】
この従来技術による水準器は気泡管測定部を互いに直交するように設けて、観測者はこの直交方向の夫々の水平確認を行う際には、視点を夫々の気泡管測定部に移して視認することで水平確認を行うことになる。従って、例えば、この従来技術による水準器をカメラなどの撮影装置に取り付けて、この撮影装置の前後左右の水平度調整を行う場合、その都度、撮影装置から目を離したり、撮影者の体をカメラから離して二個の気泡管測定部の夫々の水平度の確認を行うことになり、極めて不便である。
【０００６】
本発明の水準器は、直交する二方向の水平若しくは垂直度を一箇所で略同一視線のまま同時に視認し得る実用性、作業性に秀れる水準器を提供することを目的とする。
【課題を解決するための手段】
【０００７】
添付図面を参照して本発明の要旨を説明する。
【０００８】
液体及び気泡を封入した棒状の気泡管から成る第一気泡管測定部１と第二気泡管測定部２とを互いに直交状態に設けた水準器において、前記第一気泡管測定部１と前記第二気泡管測定部２とを面一とならない状態で直交状態に配設し、前記第一気泡管測定部１と前記第二気泡管測定部２との間に前記気泡管測定部１，２の一方を反射させ他方に並べて視認させる鏡３を設けて、前記第一気泡管測定部１若しくは前記第二気泡管測定部２のいずれかを正面に配して鏡３を視認すると、前記第一気泡管測定部１と前記第二気泡管測定部２とが上下に並置した状態で前記第一気泡管測定部１と前記第二気泡管測定部２とを前記正面において略同一方向から同時に視認し測定し得るように前記第一気泡管測定部１，前記第二気泡管測定部２及び前記鏡３を配設したことを特徴とする水準器に係るものである。
【０００９】
また、互いに直交する前記第一気泡管測定部１と前記第二気泡管測定部２とを二辺とする三角形の一辺となる前記第一気泡管測定部１若しくは前記第二気泡管測定部２のいずれかを手前正面に配設し、前記三角形の斜辺位置に前記鏡３として反射鏡３を設け、この反射鏡３の反射面を前記手前正面に向けて前記鏡３を立設したことを特徴とする請求項１記載の水準器に係るものである。
【００１０】
また、前記第一気泡管測定部１，前記第二気泡管測定部２及び前記鏡３を収容する器体ケース４に第一窓孔５を設け、この第一窓孔５から前記第一気泡管測定部１及び前記第二気泡管測定部２を上下に並置した状態で同時に視認し得る構成としたことを特徴とする請求項１，２のいずれか１項に記載の水準器に係るものである。
【００１１】
また、前記器体ケース４の前記第一窓孔５を手前正面に設けて正面部６とし、この正面部６を上面部７側に傾斜若しくは湾曲させ、前記器体ケース４の上面部７に第二窓孔８を設けて、前記器体ケース４の上面から前記第一気泡管測定部１及び前記第二気泡管測定部２を直接視認し得る構成としたことを特徴とする請求項３記載の水準器に係るものである。
【００１２】
また、前記第一気泡管測定部１，前記第二気泡管測定部２及び前記鏡３を取付板体10に設け、この取付板体10を前記器体ケース４の底面部11として設けた、若しくは前記取付板体10を前記器体ケース４内に収容したことを特徴とする請求項３，４のいずれか１項に記載の水準器に係るものである。
【００１３】
また、前記取付板体10の手前正面に設けて前記第一窓孔５位置に配される前記第一気泡管測定部１若しくは前記第二気泡管測定部２のいずれか一方を、前記一方の気泡管測定部と直交し、前記第二窓孔８位置配される他方の前記第一気泡管測定部１若しくは前記第二気泡管測定部２より低く設けたことを特徴とする請求項３〜５のいずれか１項に記載の水準器に係るものである。
【００１４】
また、カメラ12のアクセサリ取付部13にスライド嵌合して取り付けるカメラ取付部15を前記器体ケース４に設けて、第一窓孔５を手前正面にした状態で前記器体ケース４内の直交する前記第一気泡管測定部１の軸方向及び前記第二気泡管測定部２の軸方向と、カメラ12のファインダ９を手前正面にした状態でカメラ12の左右方向及び前後方向とが合致する構成としたことを特徴とする請求項３〜６のいずれか１項に記載の水準器に係るものである。
【００１５】
また、前記器体ケース４の底面部11と、少なくとも一箇所の側面部16とに前記カメラ取付部15を設けたことを特徴とする請求項７記載の水準器に係るものである。
【発明の効果】
【００１６】
本発明は上述のように構成したから、直交する二方向の水平度若しくは垂直度を正面一箇所で略同一視線のままで同時に視認し得る作業性に秀れる極めて実用性の高い水準器になる。
【００１７】
また、請求項２記載の発明においては、簡単に構成できて視認性のよい安価な水準器になる。
【００１８】
また、請求項３〜６記載の発明においては、器体ケースに収容されて扱い易くなり、また、器体ケースの上からも水平度の視認できると共に第二窓孔から明り取りができるから第一窓からの視認性が向上して扱い易くなり一層実用的な水準器になる。
【００１９】
また、請求項７，８記載の発明においては、カメラのアクセサリ取付部に簡単に取り付け可能になり、更にカメラを横位置にしても縦位置にしてもカメラのファインダを覗きながらカメラの水平度調整を容易且つ迅速に行え、水平性若しくは垂直性を確保した写真撮影が可能になる。
【図面の簡単な説明】
【００２０】
【図１】本実施例に係る水準器の斜視図である。
【図２】本実施例に係る水準器の要部を示す斜視図である。
【図３】本実施例に係る水準器の上面からの要部を示す斜視図である。
【図４】本実施例に係る水準器の器体カバーの裏面斜視図である。
【図５】本実施例に係る水準器の取付部材である。
【図６】本実施例に係る水準器の取付部材の別例である。
【図７】本実施例に係る水準器への取付部材の取付方法を示す斜視図である。
【図８】本実施例に係る水準器のカメラへの取付例である。
【図９】本実施例に係る水準器の裏面斜視図である。
【図１０】本実施例に係る水準器のカメラを横位置にした時の取付例である。
【図１１】本実施例に係る水準器のカメラを縦位置にした時の取付例である。
【発明を実施するための形態】
【００２１】
好適と考える本発明の実施形態（発明をどのように実施するか）を、図面に基づいて本発明の作用を示して簡単に説明する。
【００２２】
第一気泡管測定部１若しくは第二気泡管測定部２のいずれかを正面に配して鏡３を視認すると、この正面の第一気泡管測定部１若しくは第二気泡管測定部２のいずれかと直交する他方の第一気泡管測定部１若しくは第二気泡管測定部２が前記正面に配した前記第一気泡管測定部１若しくは第二気泡管測定部２とは異なる位置で鏡３に反射することになって、直交状態に設けた前記第一気泡管測定部１及び前記第二気泡管測定部２を上下に並んだ状態で視認できることになる。
【００２３】
従って、直交する二方向の水平度若しくは垂直度を正面となる一箇所で略同一視線のままで同時に視認し測定して、この状態で直交する二方向それぞれの気泡管測定部が水平になるように操作できることになって、直交する二個の気泡管測定部を別々に視認することがなく、極めて効率よく作業が行える実用性の高い水準器になる。
【００２４】
また、第一気泡管測定部１若しくは第二気泡管測定部２のいずれか一方を手前正面に配設すると、この正面手前に設けた第一気泡管測定部１若しくは第二気泡管測定部２のいずれか一方を直接視認できると共に、前記手前正面に配設した気泡管測定部と直交した位置に設けた第一気泡管測定部１若しくは第二気泡管測定部２を反射鏡３の反射面で反射した状態で視認できることになって、従って、第一気泡管測定部１と第二気泡管測定部２とを同時に上下に並んだ状態で水平度若しくは垂直度を視認できることになり、簡単な構成で視認性が良好で安価な水準器になる。
【００２５】
また、器体ケース４の傾斜若しくは湾曲した正面部６に第一窓孔５を設けることで、窓孔が広くなって器体ケース４の正面のみならず上からの視認性が増し、また、器体ケース４の上から第二窓孔８から気泡管を視認できることになり、従って、器体ケース４の第一窓孔５以外からも第一気泡管測定部１及び第二気泡管測定部２を視認できことになって水平度視認、操作を行う際の利便性が向上し、また、この第二窓孔８によって自ずと器体ケース４内部に明り取りできることになって第一窓孔５からの視認性が向上し、更に衝撃などの外力から保護できる一層実用的な水準器になる。
【００２６】
また、カメラ取付部15をカメラ12のアクセサリ取付部13にスライド嵌合して取り付け、例えば、カメラ12を手に持つ、若しくは三脚に取付け、カメラ12のファインダ９を覗いてカメラ12を被写体の方向に向けてから、視線を器体ケース４の第一窓孔５に平行移動して、この第一窓孔５から前後左右方向の水平度を測定する第一気泡管測定部１及び第二気泡管測定部２を視認測定しながらカメラ12を前後方向，左右方向の水平操作を行うと、この第一気泡管測定部１の軸方向及び第二気泡管測定部２の軸方向と、カメラ12の前後方向と左右方向とが合致するようになり、従ってカメラ12の水平若しくは垂直を保った状態になって、この状態で写真撮影すると水平若しくは垂直を保った状態の写真撮影ができることになる。即ち、従来のように二方向の水平を確認するのにファインダ９から目を離してカメラの上へ撮影者の上体を移動したりせずに、ファインダ９を覗いていた視線を第一窓孔５に略平行に移動させて気泡管を視認しながらカメラの前後左右の水平調整を行ってカメラ水平を保つことができるから、極めて簡単且つ迅速にしかも確実に二方向の水平を保った写真を撮影できることになる。
【００２７】
また、器体ケース４の底面部11と、少なくとも一箇所の側面部16との少なくとも二箇所にカメラ取付部15を設けると、器体ケース４の底面部11のカメラ取付部15をカメラ12のアクセサリ取付部13に取付けた場合には、カメラ12を横位置にした状態での前後左右の水平状態を確認しながら調整することが可能になり、また、器体ケース４の側面部16のカメラ取付部15をカメラ12のアクセサリ取付部13に取付ける場合には、カメラ12を縦位置にした状態での前後左右の水平状態を確認しながら調整することが可能になる。即ち、このカメラ取付部15を適宜選んでカメラ12のアクセサリ取付部13に取り付けると、カメラ12が横位置でも縦位置でもカメラ12の前後左右の水平を確認しながら調整することが可能になり、従って、カメラ水平を保った状態での写真撮影を極めて手軽に迅速且つ確実に行えることになる。
【実施例】
【００２８】
本発明の具体的な実施例について図面に基づいて説明する。
【００２９】
本実施例の水準器19は、写真撮影時にカメラ12のアクセサリ取付部13にスライド嵌合して取り付けて、カメラ12のファインダ９から被写体を見ながらカメラ12の前後左右の水平面の調整を可能にするものである。
【００３０】
本実施例の水準器19は、水平面の視認測定を行えるように直交する二方向に気泡管測定部（第一気泡管測定部１及び第二気泡管測定部２）を配し、この二本の気泡管測定部を同一方向から同時に視認可能とする鏡３を器体ケース４内に設けて、第一窓孔から二方向の水平を同一視点のままで同時視認測定可能としたものであり、この水準器19をカメラ12のカメラアクセサリ取付部13に取り付け可能となるように器体ケース４の底面部11と側面部16とにカメラ取付部15を付設可能とした構成である。
【００３１】
詳細には、この水準器19は、第一気泡管測定部１，第二気泡管測定部２及び鏡３を器体ケース４に収容したものであり、器体ケース４は、第一気泡管測定部１，第二気泡管測定部２及び鏡３を取り付ける取付板体10と、この取付板体10を器体ケース４の底面部11として、この取付板体10に嵌合する器体カバー25とで構成し、取付板体10と器体カバー25の両者を嵌合することで、取付板体10に設けた第一気泡管測定部１，第二気泡管測定部２及び鏡３を保護する構成であり、器体カバー25に第一窓孔５を設けて二本の気泡管（第一気泡管測定部１，第二気泡管測定部２）を上下に並置した状態で同時視認し得るようにした構成である。
【００３２】
また、第一窓孔５を前記器体ケース４の正面部６を上面部７側に傾斜して設け、器体ケース４の上面部７に第二窓孔８を設けて、器体ケース４の上面部７側から第一気泡管測定部１及び第二気泡管測定部２を同時に直接視認し得るように構成している。
【００３３】
具体的には、この水準器19は、取付板体10の上に、液体及び気泡を封入した円筒状気泡管から成る棒状の第一気泡管測定部１と第二気泡管測定部２とを互いに直交状態に設けると共に、第一気泡管測定部１と第二気泡管測定部２とを面一とならない状態、即ち高さを違えた状態で重ならない状態で直交状態に配設し、第一気泡管測定部１と第二気泡管測定部２との間にこれら測定部１，２の一方を反射させ他方に並べて視認させる鏡３として反射鏡３を設けて、第一気泡管測定部１若しくは第二気泡管測定部２のいずれかを正面に配置した状態で反射鏡３を視認すると、第一気泡管測定部１と第二気泡管測定部２とが上下に並置した状態で第一気泡管測定部１と前記第二気泡管測定部２とを一箇所の同一方向から同時に視認し測定し得るように第一気泡管測定部１，第二気泡管測定部２及び反射鏡３を配設した構成である。
【００３４】
更に具体的には、この水準器19は、互いに直交する第一気泡管測定部１と第二気泡管測定部２とを二辺とする三角形の一辺となる第一気泡管測定部１若しくは第二気泡管測定部２のいずれかを手前正面に設け、この三角形の斜辺位置に反射鏡３の反射面を手前正面側に向けて反射鏡３を立設した構成である。
【００３５】
尚、この水準器19の第一気泡管測定部１，第二気泡管測定部２は、水平度を判定し得る目盛りを設けた透明樹脂製の円筒管に視認可能な大きさの気泡が一個だけ生ずるように液体を封止した気泡管である。
【００３６】
詳細には、この取付板体10は矩形状の薄板であり、この取付板体10の互いに直交する二辺の辺縁に第一気泡管測定部１及び第二気泡管測定部２を面一とならない高さに保持する気泡管支持部23を夫々設け、第一気泡管測定部１若しくは第二気泡管測定部２を二辺とする三角形の斜辺位置に反射鏡３を貼りつけて立設する鏡取付部20を設け、この気泡管支持部23と鏡取付部20とを取付板体10と一体に形成している。
【００３７】
気泡管支持部23は、第一気泡管測定部１及び第二気泡管測定部２を取付板体10上で面一とならないように高さ違いに設ける構成であり、第一気泡管測定部１，第二気泡管測定部２及び鏡３を設けた取付板体10を底面部11として器体ケース４に収容した状態で、第一窓孔５部に設ける第一気泡管測定部１若しくは第二気泡管測定部２を支持する第一気泡管支持部23ａと、第二窓孔８部に設ける第一気泡管測定部１若しくは第二気泡管測定部２を支持する第二気泡管支持部23ｂとを備え、第一気泡管支持部23ａの高さは、第二気泡管支持部23ｂの高さより低く設定した構成であり、この夫々の気泡管支持部に気泡管測定部を載置して、前記取付板体10の手前正面に設けて前記第一窓孔５位置に配される前記第一気泡管測定部１若しくは前記第二気泡管測定部２のいずれか一方が、前記一方の気泡管測定部と直交し、前記第二窓孔８位置配される他方の前記第一気泡管測定部１若しくは前記第二気泡管測定部２より低くなることで、第一窓孔５から第一気泡管測定部１，第二気泡管測定部２を上下に並置した状態で視認できることになる。
【００３８】
第一気泡管支持部23ａ及び第二気泡管支持部23ｂの夫々は、第一気泡管測定部１若しくは第二気泡管測定部２を支持する凹部23ｃを備え、この凹部23ｃに第一気泡管測定部１若しくは第二気泡管測定部２を載置して支持し得る構成である。
【００３９】
また、この取付板体10は、第一気泡管支持部23ａ，第二気泡管支持部23ｂ及び鏡取付部20を一体に形成した構成としたことで、水準器19の組み立てが極めて簡単になる。
【００４０】
尚、鏡取付部20を取付板体10とは別体に構成して、鏡取付部20に例えば、アルミ，銀を蒸着して鏡３を形成した後、取付板体10に取り付ける構成でもよい。
【００４１】
器体カバー25は、器体ケース４の手前正面となる位置に第一窓孔５を器体カバー25の正面部６に矩形状に設けると共に、この器体カバー25の正面部６はこの第一窓孔５の矩形状開口部を傾斜した構成であり、更に、この正面部６と直交する器体ケース４の上面部７に第二窓孔８を設けて、器体ケース４の上面部７側から第一気泡管測定部１及び第二気泡管測定部２を同時に直接視認し得る構成である。
【００４２】
また、器体カバー25は、底面部11としての取付板体10に直交する側面部16を備えた形状であると共に、器体カバー25は内側に第一気泡管測定部１及び前記第二気泡管測定部２の夫々の両端部21を係止保持する係止溝部22を設け、取付板体10上の第一気泡管支持部23a，第二気泡管支持部23ｂに第一気泡管測定部１若しくは第二気泡管測定部２を載置して、この取付板体10と器体カバー25とを嵌合すると、係止溝部22が第一気泡管測定部１及び第二気泡管測定部２の端部21を係止して第一気泡管測定部１及び第二気泡管測定部２を固定する構成である。
【００４３】
以上のように構成した水準器19は、取付板体10の上に第一気泡管測定部１若しくは第二気泡管測定部２を載置して器体カバー25を嵌合するだけで水準器19の組み立てができることになって、水準器の製造を極めて簡単且つ短時間で行え安価に製造できることになる。
【００４４】
また、この水準器19を略水平に保持した状態で、器体ケース４に設けた正面手前となる第一窓孔５を覗くと、手前に第一気泡管測定部１若しくは第二気泡管測定部２を直接視認した状態で、この気泡管の上部に、この気泡管と直交し鏡３に反射した第一気泡管測定部１若しくは第二気泡管測定部２の像を視認して、第一気泡管測定部１と第二気泡管測定部２とを同時に上下に並置した状態で視認して、水平度若しくは垂直度を測定できることになり、従ってこの水準器19の第一窓孔５を覗きながら水平操作すると直交する二方向の水平を同一視線のまま同時に迅速に調整できる極めて実用的な水準器になる。
【００４５】
また、第一窓孔５を上面側に傾斜させ、更に第二窓孔８を設けることで水準器19の上面側からの視認性がよくなって操作性がよくなる。
【００４６】
本実施例は更に、カメラ12のアクセサリ取付部13にスライド嵌合して取り付けるカメラ取付部15を前記器体ケース４に設けて、第一窓孔５を手前正面にした状態で前記器体ケース４内の直交する前記第一気泡管測定部１の軸方向及び前記第二気泡管測定部２の軸方向と、カメラ12のファインダ９を手前正面にした状態でカメラ12の左右方向及び前後方向とが合致する構成である。
【００４７】
このカメラ取付部15は、カメラ12のアクセサリ取付部13にスライド嵌合して取り付ける取付部材14を備えて構成している。
【００４８】
本実施例は、このカメラ取付部15の前記取付部材14を前記器体ケース４の前記取付板体10、及びこの取付板体10に直交する側面部16に平行に設け、更に、第一窓孔５を手前正面にした状態で前記器体ケース４内の直交する前記第一気泡管測定部１の軸方向及び前記第二気泡管測定部２の軸方向と、カメラ12のファインダ９を手前正面にした状態でカメラ12の左右方向及び前後方向とが合致する構成にして、カメラ12を横位置，縦位置いずれの状態にしてもカメラ12の水平度調整を行う。
【００４９】
具体的には、カメラ取付部15は、取付板体10の底面26と、器体カバー25の側面部16とにカメラ12のアクセサリ取付部13に嵌合する取付部材14を取り付ける凹部28を設け、この凹部28にカメラ12のアクセサリ取付部13に嵌合する取付部材14を取り付けて、水準器19をカメラ12のアクセサリ取付部13に取り付け可能とした構成である。
【００５０】
カメラ12のアクセサリ取付部13とは、外付けのフラッシュ，距離計などカメラのアクセサリ用品をカメラ12の上部などに取り付けるために設けてある取り付け部分であり、このアクセサリ取付部13には、コ字型の金具をコ字状の間隙を向かい合わせて配置したブラケット型、板体を本体から浮かせてＴ状に構成したプレート型がある。
【００５１】
本実施例の水準器19は、器体ケース４の底面部11及び側面部16に二種類の取付部材14を付設可能とした構成であり、上記したブラケット型，プレート型のアクセサリ取付部13に対応して、プレート型取付部材14ａ，ブラケット型取付部材14ｂを選択して取り付け得る構成である。
【００５２】
詳細には、このプレート型取付部材14ａは、カメラ12のアクセサリ取付部13にスライド嵌合し得る略矩形状の板体29の片側の面の中央部に垂直に、底面部11及び側面部16に設けた凹部28と嵌合し得る断面正方形の支持体30を設けた構成である。
【００５３】
また、ブラケット型取付部材14ｂは、略矩形状板体の一方の面の三方の辺縁をブラケット状に形成し、他方の面に底面部11及び側面部16に設けた凹部28と嵌合し得る断面正方形の支持体30を垂直に設けた構成である。
【００５４】
本実施例の水準器19では、カメラ12のアクセサリ取付部13がブラケット型で、プレート型取付部材14ａの支持体30の先端に両面テープを貼り付けて、水準器19の底面部11と側面部16に設けた凹部28に嵌合して取り付けている。
【００５５】
更に、水準器19の器体ケース４の底面部11と一箇所の側面部16とにプレート型取付部材14ａを付設して二箇所カメラ取付部15を設けて、この二箇所のカメラ取付部15のいずれかの箇所をカメラ12のアクセサリ取付部13にスライド嵌合して取り付けて、カメラ12を横位置，縦位置いずれの状態にしてもカメラ12の水平度調整を可能としている。
【００５６】
本実施例では、水準器19にプレート型取付部材14ａを設けたが、ブラケット型取付部材14ｂであっても同様であり、また、水準器19の底面部11，側面部16のいずれか一方にのみ取付部材14を設けることでもよいのはもちろんである。
【００５７】
以上、本実施例では、このカメラ取付部15を底面部11と側面部16の二箇所に設けてカメラ12のアクセサリ取付部13に取り付け可能とし、カメラ12の上部にのみアクセサリ取付部13を備えたカメラ12に対しては、カメラ12を横位置にして写真撮影する場合には、水準器19の底面部11に設けたカメラ取付部15をこのカメラ12上部のアクセサリ取付部13に取り付け、カメラ12を縦位置にして写真撮影する場合には、水準器19の側面部16に設けたカメラ取付部15をこのカメラ12上部のアクセサリ取付部13に取り付けることで、カメラ12を横位置にしても縦位置にしてもカメラ12の前後左右の水平を視認しながら調整することが可能になり、従って、カメラ水平を保った状態での写真撮影を極めて手軽に迅速且つ確実に行えることになる。
【００５８】
また、取付部材14を水準器19の底面部11と側面部16とに設けた凹部28に被嵌するようにしたから、両面テープで器体ケース４とカメラ取付部15とを接着するだけの簡単な作業でも水準器19のカメラ取付部15をカメラ12のアクセサリ取付部13にスライド嵌合するときに取付部材14とカメラ12本体との接合部が剥離しにくくなる。
【００５９】
本実施例では、第一気泡管測定部１及び第二気泡管測定部２を面一とならないように配置した構成であるが、器体ケース４の内部が狭い場合には、第一気泡管測定部１及び第二気泡管測定部２を同一面に面一に配置して、鏡３をやや上向きにした状態で第一窓孔５から第一気泡管測定部１及び第二気泡管測定部２の二個の気泡管が上下に並置した状態で夫々の気泡位置を視認し水平度を判定できる構成にしてもよい。
【００６０】
器体ケース４の形状は、本実施例に限らず、例えば半球状でも楕円体の形状でもよく、取付板体10とカメラ取付部15とが平行もしくは直交できる構成であればよい。
【００６１】
また、第一気泡管測定部１，第二気泡管測定部２及び鏡３を設けた取付板体10を器体ケース４に挿入して取付板体10と器体ケース４とを一体にする構成でもよい。
【００６２】
また、本実施例では、鏡３として反射鏡を用いたが、ハーフミラーを用いて、例えば、このハーフミラーの向こう側に前記第一気泡管測定部１若しくは前記第二気泡管測定部２のいずれかを設けることで、側面側からも気泡管測定部を上下に同時視認し得るように視認範囲を広げることも可能である。
【００６３】
尚、本発明は、本実施例に限られるものではなく、各構成要件の具体的構成は適宜設計し得るものである。
【符号の説明】
【００６４】
１  第一気泡管測定部
２  第二気泡管測定部
３  鏡
４  器体ケース
５  第一窓孔
６  正面部
７  上面部
８  第二窓孔
９  ファインダ
10  取付板体
11  底面部
12  カメラ
13  アクセサリ取付部
15  カメラ取付部
16  側面部
【図１】
2011095012.tif 000003
【図２】
2011095012.tif 000004
【図３】
2011095012.tif 000005
【図４】
2011095012.tif 000006
【図５】
2011095012.tif 000007
【図６】
2011095012.tif 000008
【図７】
2011095012.tif 000009
【図８】
2011095012.tif 000010
【図９】
2011095012.tif 000011
【図１０】
2011095012.tif 000012
【図１１】
2011095012.tif 000013